(57)【特許請求の範囲】
【請求項１】
ＨＤＭＩケーブルまたはＤＶＩケーブルとして形成されたデジタル信号ケーブルを介してＴＭＤＳ信号が入力されるＴＭＤＳ信号入力部と、前記デジタル信号ケーブルを介して、ホットプラグ検出信号を出力するためのホットプラグ信号が入力されるホットプラグ信号入力部とを有し、ＨＤＭＩ端子またはＤＶＩ端子として形成されたデジタル信号入力部を備えたデジタル信号処理装置において、
一定時間ごとに、前記ＴＭＤＳ信号入力部に前記ＴＭＤＳ信号が入力されたかどうかを判定するＴＭＤＳ信号判定部と、
前記一定時間ごとに、前記ＴＭＤＳ信号判定部によって前記ＴＭＤＳ信号が入力されなかったと判定された場合に、前記ホットプラグ信号入力部に前記ホットプラグ信号が入力されたかどうかを判定するホットプラグ信号判定部と、
前記一定時間ごとに、前記ホットプラグ信号判定部によって前記ホットプラグ信号が入力されたと判定された場合に初期値が０である第１のカウント値に１を加算し、前記ホットプラグ信号判定部によって前記ホットプラグ信号が入力されなかったと判定された場合に初期値が０である第２のカウント値に１を加算するデジタル信号判定部と、
を含み、
前記デジタル信号判定部は、
前記ＴＭＤＳ信号判定部によって前記ＴＭＤＳ信号が入力されたと判定された場合に前記デジタル信号の入力があると決定し、
前記デジタル信号の入力があると決定する前に、前記第２のカウント値がｎ（ただし、ｎは１以上の整数）になった場合または前記第１のカウント値がｍ（ただし、ｍは２以上の整数で、ｎ＜ｍ）になった場合に前記デジタル信号の入力がないと決定する、
デジタル信号処理装置。
【請求項２】
ＨＤＭＩケーブルまたはＤＶＩケーブルとして形成されたデジタル信号ケーブルを介してＴＭＤＳ信号が入力されるＴＭＤＳ信号入力部と、前記デジタル信号ケーブルを介して、ホットプラグ検出信号を出力するためのホットプラグ信号が入力されるホットプラグ信号入力部とを有し、ＨＤＭＩ端子またはＤＶＩ端子として形成されたデジタル信号入力部を備えたデジタル信号処理装置において、
ｔ秒ごとに、前記ＴＭＤＳ信号入力部に前記ＴＭＤＳ信号が入力されたかどうかを判定するＴＭＤＳ信号判定部と、
前記ｔ秒ごとに、前記ＴＭＤＳ信号判定部によって前記ＴＭＤＳ信号が入力されなかったと判定された場合に、前記ホットプラグ信号入力部に前記ホットプラグ信号が入力されたかどうかを判定するホットプラグ信号判定部と、
前記ｔ秒ごとに、前記ホットプラグ信号判定部によって前記ホットプラグ信号が入力されたと判定された場合に初期値が０である第１のカウント値に前記ｔを加算し、前記ホットプラグ信号判定部によって前記ホットプラグ信号が入力されなかったと判定された場合に初期値が０である第２のカウント値に前記ｔを加算するデジタル信号判定部と、
を含み、
前記デジタル信号判定部は、
前記ＴＭＤＳ信号判定部によって前記ＴＭＤＳ信号が入力されたと判定された場合に前記デジタル信号の入力があると決定し、
前記デジタル信号の入力があると決定する前に、前記第２のカウント値が前記ｔをｎ（ただし、ｎは１以上の整数）倍した値になった場合または前記第１のカウント値が前記ｔをｍ（ただし、ｍは２以上の整数で、ｎ＜ｍ）倍した値になった場合に前記デジタル信号の入力がないと決定する、
デジタル信号処理装置。
【請求項３】
請求項１、２のいずれかに記載の前記デジタル信号処理装置と、
前記デジタル信号判定部によって前記デジタル信号の入力がないと判定された場合に前記デジタル信号の入力がないことを示唆する画像を表示する表示部と、
を含むことを特徴とする表示装置。
【請求項４】
ＨＤＭＩケーブルまたはＤＶＩケーブルとして形成されたデジタル信号ケーブルを介してＴＭＤＳ信号が入力されるＴＭＤＳ信号入力部と、前記デジタル信号ケーブルを介して、ホットプラグ検出信号を出力するためのホットプラグ信号が入力されるホットプラグ信号入力部とを含み、ＨＤＭＩ端子またはＤＶＩ端子として形成されたデジタル信号入力部を備えたデジタル信号処理装置の有するコンピュータを、
一定時間ごとに、前記ＴＭＤＳ信号入力部に前記ＴＭＤＳ信号が入力されたかどうかを判定するＴＭＤＳ信号判定部と、
前記一定時間ごとに、前記ＴＭＤＳ信号判定部によって前記ＴＭＤＳ信号が入力されなかったと判定された場合に、前記ホットプラグ信号入力部に前記ホットプラグ信号が入力されたかどうかを判定するホットプラグ信号判定部と、
前記一定時間ごとに、前記ホットプラグ信号判定部によって前記ホットプラグ信号が入力されたと判定された場合に初期値が０である第１のカウント値に１を加算し、前記ホットプラグ信号判定部によって前記ホットプラグ信号が入力されなかったと判定された場合に初期値が０である第２のカウント値に１を加算するデジタル信号判定部として機能させ、
前記デジタル信号判定部は、
前記ＴＭＤＳ信号判定部によって前記ＴＭＤＳ信号が入力されたと判定された場合に前記デジタル信号の入力があると決定し、
前記デジタル信号の入力があると決定する前に、前記第２のカウント値がｎ（ただし、ｎは１以上の整数）になった場合または前記第１のカウント値がｍ（ただし、ｍは２以上の整数で、ｎ＜ｍ）になった場合に前記デジタル信号の入力がないと決定する、
プログラム。
【請求項５】
ＨＤＭＩケーブルまたはＤＶＩケーブルとして形成されたデジタル信号ケーブルを介してＴＭＤＳ信号が入力されるＴＭＤＳ信号入力部と、前記デジタル信号ケーブルを介して、ホットプラグ検出信号を出力するためのホットプラグ信号が入力されるホットプラグ信号入力部とを含み、ＨＤＭＩ端子またはＤＶＩ端子として形成されたデジタル信号入力部を備えたデジタル信号処理装置の有するコンピュータを、
ｔ秒ごとに、前記ＴＭＤＳ信号入力部に前記ＴＭＤＳ信号が入力されたかどうかを判定するＴＭＤＳ信号判定部と、
前記ｔ秒ごとに、前記ＴＭＤＳ信号判定部によって前記ＴＭＤＳ信号が入力されなかったと判定された場合に、前記ホットプラグ信号入力部に前記ホットプラグ信号が入力されたかどうかを判定するホットプラグ信号判定部と、
前記ｔ秒ごとに、前記ホットプラグ信号判定部によって前記ホットプラグ信号が入力されたと判定された場合に初期値が０である第１のカウント値に前記ｔを加算し、前記ホットプラグ信号判定部によって前記ホットプラグ信号が入力されなかったと判定された場合に初期値が０である第２のカウント値に前記ｔを加算するデジタル信号判定部として機能させ、
前記デジタル信号判定部は、
前記ＴＭＤＳ信号判定部によって前記ＴＭＤＳ信号が入力されたと判定された場合に前記デジタル信号の入力があると決定し、
前記デジタル信号の入力があると決定する前に、前記第２のカウント値が前記ｔをｎ（ただし、ｎは１以上の整数）倍した値になった場合または前記第１のカウント値が前記ｔをｍ（ただし、ｍは２以上の整数で、ｎ＜ｍ）倍した値になった場合に前記デジタル信号の入力がないと決定する、
プログラム。
【発明の詳細な説明】
【技術分野】
【０００１】
本発明は、デジタル信号ケーブルを介してデジタル信号を入力可能なデジタル信号処理装置、表示装置およびプログラムに関する。
【背景技術】
【０００２】
特開２００７−３６８５４号公報に記載されているように、ＨＤＭＩ(High-Definition Multimedia Interface)端子、ＤＶＩ(Digital Visual Interface)端子等のデジタル信号ケーブルを介してデジタル信号を入力する表示装置等のデジタル信号処理装置は、規格上、当該デジタル信号ケーブルにデジタル信号を出力する電子機器が接続されているかどうかを判定することは困難である。
【０００３】
例えば、当該デジタル信号処理装置では、ＴＭＤＳ(Transition Minimized Differential Signaling)信号の有無により、電子機器が接続されているかどうかを判定する手法が採用されている。
【特許文献１】特開２００７−３６８５４号公報
【発明の開示】
【発明が解決しようとする課題】
【０００４】
しかし、電子機器によってＴＭＤＳ信号が出力されるのは、ＨＤＣＰ(High bandwidth Digital Content Protection)認証が終わった後であるため、デジタル信号処理装置にＴＭＤＳ信号が入力されるまでに時間がかかり、ＴＭＤＳ信号が入力されないと判定するまでの時間もかかっていた。
【０００５】
例えば、電子機器とデジタル信号処理装置を接続するデジタル信号ケーブルが抜けてしまった場合、一般的なデジタル信号処理装置の場合、無信号であることをユーザに通知するまでに５秒以上かかるため、ユーザに不安を与える一因になっていた。
【０００６】
本発明の目的は、デジタル信号ケーブルを介したデジタル信号の入力がないことをより高速に判定することが可能なデジタル信号処理装置、表示装置およびプログラムを提供することにある。
【課題を解決するための手段】
【０００７】
上記課題を解決するため、本発明に係るデジタル信号処理装置は、デジタル信号ケーブルを介してＴＭＤＳ信号を入力するＴＭＤＳ信号入力部と、前記デジタル信号ケーブルを介してホットプラグ信号を入力するホットプラグ信号入力部と、前記ＴＭＤＳ信号が入力されたかどうかを判定するＴＭＤＳ信号判定部と、前記ＴＭＤＳ信号が入力されない場合に、t秒ごとに前記ホットプラグ信号が入力されたかどうかを判定するホットプラグ信号判定部と、前記ＴＭＤＳ信号が入力された場合に前記デジタル信号の入力があると判定するとともに、前記ホットプラグ信号がｎ（ただし、ｎは１以上の整数）回入力されなかった場合または前記ホットプラグ信号がｍ（ただし、ｍは２以上の整数で、ｎ＜ｍ）回入力された場合に前記デジタル信号ケーブルを介したデジタル信号の入力がないと判定するデジタル信号判定部と、を含むことを特徴とする。
【０００８】
また、本発明に係るプログラムは、デジタル信号ケーブルを介してＴＭＤＳ信号を入力するＴＭＤＳ信号入力部と、前記デジタル信号ケーブルを介してホットプラグ信号を入力するホットプラグ信号入力部とを有するコンピュータを、前記ＴＭＤＳ信号が入力されたかどうかを判定するＴＭＤＳ信号判定部と、前記ＴＭＤＳ信号が入力されない場合に、t秒ごとに前記ホットプラグ信号が入力されたかどうかを判定するホットプラグ信号判定部と、前記ＴＭＤＳ信号が入力された場合に前記デジタル信号の入力があると判定するとともに、前記ホットプラグ信号がｎ（ただし、ｎは１以上の整数）回入力されなかった場合または前記ホットプラグ信号がｍ（ただし、ｍは２以上の整数で、ｎ＜ｍ）回入力された場合に前記デジタル信号ケーブルを介したデジタル信号の入力がないと判定するデジタル信号判定部として機能させることを特徴とする。
【０００９】
本発明によれば、デジタル信号処理装置等は、ＴＭＤＳ信号の入力有無だけでなく、ホットプラグ信号の入力有無を判定し、ホットプラグ信号が入力されない場合の判定回数をホットプラグ信号が入力された場合の判定回数よりも少なくしてデジタル信号の非入力を決定することにより、デジタル信号ケーブルを介したデジタル信号の入力がないことをより高速に判定することができる。
【００１０】
また、本発明に係るデジタル信号処理装置は、デジタル信号ケーブルを介してＴＭＤＳ信号を入力するＴＭＤＳ信号入力部と、前記デジタル信号ケーブルを介してホットプラグ信号を入力するホットプラグ信号入力部と、前記ＴＭＤＳ信号が入力されたかどうかを判定するＴＭＤＳ信号判定部と、前記ＴＭＤＳ信号が入力されない場合に、前記ホットプラグ信号が入力されたかどうかを判定するホットプラグ信号判定部と、前記ＴＭＤＳ信号が入力された場合に前記デジタル信号の入力があると判定するとともに、前記ホットプラグ信号がｎ（ただし、ｎは１以上の整数）×ｔ秒以上入力されなかった場合または前記ホットプラグ信号がｍ（ただし、ｍは２以上の整数で、ｎ＜ｍ）×ｔ秒以上入力された場合に前記デジタル信号ケーブルを介したデジタル信号の入力がないと判定するデジタル信号判定部と、を含むことを特徴とする。
【００１１】
また、本発明に係るプログラムは、デジタル信号ケーブルを介してＴＭＤＳ信号を入力するＴＭＤＳ信号入力部と、前記デジタル信号ケーブルを介してホットプラグ信号を入力するホットプラグ信号入力部とを有するコンピュータを、前記ＴＭＤＳ信号が入力されたかどうかを判定するＴＭＤＳ信号判定部と、前記ＴＭＤＳ信号が入力されない場合に、t秒ごとに前記ホットプラグ信号が入力されたかどうかを判定するホットプラグ信号判定部と、前記ＴＭＤＳ信号が入力された場合に前記デジタル信号の入力があると判定するとともに、前記ホットプラグ信号がｎ（ただし、ｎは１以上の整数）×ｔ秒以上入力されなかった場合または前記ホットプラグ信号がｍ（ただし、ｍは２以上の整数で、ｎ＜ｍ）×ｔ秒以上入力された場合に前記デジタル信号ケーブルを介したデジタル信号の入力がないと判定するデジタル信号判定部として機能させることを特徴とする。
【００１２】
本発明によれば、デジタル信号処理装置等は、ＴＭＤＳ信号の入力有無だけでなく、ホットプラグ信号の入力有無を判定し、ホットプラグ信号が入力されない場合の判定時間をホットプラグ信号が入力された場合の判定時間よりも少なくしてデジタル信号の非入力を決定することにより、デジタル信号ケーブルを介したデジタル信号の入力がないことをより高速に判定することができる。
【００１３】
また、本発明に係る表示装置は、上記記載の前記デジタル信号処理装置と、前記デジタル信号判定部によって前記デジタル信号の入力がないと判定された場合に前記デジタル信号の入力がないことを示唆する画像を表示する表示部と、を含むことを特徴とする。
【００１４】
本発明によれば、表示装置は、デジタル信号の入力がないことを、画像を用いてより高速にユーザに伝達することができる。
【発明を実施するための最良の形態】
【００１５】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例におけるプロジェクタ１００の機能ブロック図である。表示装置の一種であるプロジェクタ１００は、デジタル信号ケーブルの一種であるＨＤＭＩケーブル３００を介して電子機器の一種であるＤＶＤプレーヤ２００からデジタル形式の画像信号を入力する。
【００１７】
また、プロジェクタ１００は、当該デジタル形式の画像信号を入力して画像処理を実行するデジタル信号処理装置としての機能も有する。具体的には、プロジェクタ１００は、ＤＶＤプレーヤ２００からＨＤＭＩケーブル３００を介して画像信号を入力するデジタル信号入力部１１０と、画像信号（デジタル信号）の入力有無を判定する判定部１２０と、画像信号に基づき画像を表示（投写）する表示部１３０を含んで構成されている。
【００１８】
また、デジタル信号入力部１１０は、ＴＭＤＳ信号を入力するＴＭＤＳ信号入力部１１２と、ホットプラグ信号を入力するホットプラグ信号入力部１１４を含んで構成されている。また、判定部１２０は、ＴＭＤＳ信号が入力されたかどうかを判定するＴＭＤＳ信号判定部１２２と、ＴＭＤＳ信号が入力されない場合に、ホットプラグ信号が入力されたかどうかを判定するホットプラグ信号判定部１２４と、これらの判定結果に基づき、画像信号の入力有無を判定するデジタル信号判定部１２６を含んで構成されている。
【００１９】
なお、これらの各部の機能をプロジェクタ１００に実装するためのハードウェアとしては、例えば、以下のものが採用されてもよい。例えば、デジタル信号入力部１１０としてはＨＤＭＩ端子等、判定部１２０としてはＣＰＵ等、表示部１３０としてはランプ、液晶パネル、液晶駆動回路、投写レンズ等が採用されてもよい。また、ＨＤＭＩ端子には、ＴＭＤＳクロック（ＴＭＤＳ信号）を入力するピン、ＴＭＤＳデータ（ＴＭＤＳ信号）を入力するピンが設けられており、これらのピンがＴＭＤＳ信号入力部１１２に相当する。また、ＨＤＭＩ端子には、ホットプラグ信号を入力するピンが設けられており、このピンがホットプラグ信号入力部１１４に相当する。
【００２０】
また、プロジェクタ１００は、情報記憶媒体４００に記憶されたプログラムを読み取ることにより、判定部１２０等の機能を実装してもよい。このような情報記憶媒体４００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２１】
ここで、従来のプロジェクタにおけるデジタル信号判定処理手順について説明する。図２は、従来のデジタル信号判定処理手順を示すフローチャートである。
【００２２】
従来のプロジェクタは、ＴＭＤＳ信号非入力回数を示す変数ｉに０を設定し（ステップＳ１）、一定時間（ｔ秒）ごとにＴＭＤＳ信号の入力がないかどうかを判定する（ステップＳ２）。また、当該プロジェクタは、ＴＭＤＳ信号が入力された場合、画像信号の入力ありに決定し（ステップＳ３）、処理を終了する。
【００２３】
一方、ＴＭＤＳ信号が入力されなかった場合、当該プロジェクタは、変数ｉに１を加え（ステップＳ４）、ｉ＝ｍという条件に該当するかどうかを判定する（ステップＳ５）。例えば、ｔ＝０．０５である場合、ｍ＝１００である。
【００２４】
ｉ＝ｍという条件に該当しない場合、当該プロジェクタは、ステップＳ２〜Ｓ５の処理を繰り返す。一方、ｉ＝ｍという条件に該当する場合、当該プロジェクタは、画像信号の入力なしに決定し（ステップＳ６）、画像信号が入力されていないことを通知する通知画像を表示する（ステップＳ７）。
【００２５】
このように、従来のプロジェクタは、ＴＭＤＳ信号のみで判定を行っていたため、ＴＭＤＳ信号の入力なしと決定するまで最低でも５秒程度必要になっていた。
【００２６】
次に、本実施例におけるデジタル信号判定処理手順について説明する。図３は、第１の実施例におけるデジタル信号判定処理手順を示すフローチャートである。なお、このような処理は、例えば、プロジェクタ１００が、画像信号の入力ソースがＨＤＭＩケーブル３００に切り替えられた場合等に実行される。
【００２７】
まず、本実施例のプロジェクタ１００のデジタル信号判定部１２６は、ＴＭＤＳ信号非入力の場合のホットプラグ信号非入力回数を示す変数ｉに０を設定するとともに、ＴＭＤＳ信号非入力の場合のホットプラグ信号入力回数を示す変数ｊに０を設定する（ステップＳ１１）。
【００２８】
ＴＭＤＳ信号判定部１２２は、一定時間（ｔ秒）ごとにＴＭＤＳ信号の入力がないかどうかを判定する（ステップＳ１２）。また、プロジェクタ１００は、ＴＭＤＳ信号が入力された場合、画像信号の入力ありに決定し（ステップＳ１３）、処理を終了する。
【００２９】
一方、ＴＭＤＳ信号が入力されなかった場合、ホットプラグ信号判定部１２４は、ホットプラグ信号の入力がないかどうかを判定する（ステップＳ１４）。ホットプラグ信号が入力されない場合、デジタル信号判定部１２６は、変数ｉに１を加え（ステップＳ１５）、ｉ＝ｎという条件に該当するかどうかを判定する（ステップＳ１６）。
【００３０】
また、ＴＭＤＳ信号が入力されず、かつ、ホットプラグ信号が入力された場合、デジタル信号判定部１２６は、変数ｊに１を加え（ステップＳ１７）、ｊ＝ｍという条件に該当するかどうかを判定する（ステップＳ１８）。例えば、ｔ＝０．０５である場合、ｍ＝１００であり、ｎ＝１０である。すなわち、デジタル信号判定部１２６は、ｎ＜ｍの関係を満たすｍ、ｎを用いる。
【００３１】
ｉ＝ｎという条件に該当しない場合またはｊ＝ｍという条件に該当しない場合、プロジェクタ１００は、ステップＳ１２〜Ｓ１８の処理を繰り返す。一方、ｉ＝ｎという条件に該当する場合またはｊ＝ｍという条件に該当する場合、プロジェクタ１００は、画像信号の入力なしに決定し（ステップＳ１９）、表示部１３０は、画像信号が入力されていないことを通知する通知画像を表示する（ステップＳ２０）。なお、通知画像としては、例えば、「ソース：ＨＤＭＩ」、「映像信号が入力されていません」といった文字列を示す画像等が該当する。
【００３２】
以上のように、本実施例によれば、プロジェクタ１００は、ＴＭＤＳ信号の入力有無だけでなく、ホットプラグ信号の入力有無を判定し、ホットプラグ信号が入力されない場合の判定回数をホットプラグ信号が入力された場合の判定回数よりも少なくして画像信号の非入力を決定することにより、ＨＤＭＩケーブル３００を介した画像信号の入力がないことをより高速に判定することができる。
【００３３】
また、プロジェクタ１００は、画像信号の入力がないことをより迅速に表示することができる。これにより、ユーザは、ＨＤＭＩケーブル３００がＨＤＭＩ端子から外れた場合等により素早く対処することができる。
【００３４】
（第２の実施例）
プロジェクタ１００は、第１の実施例では回数を基準として判定したが、時間を基準として判定してもよい。図４は、第２の実施例におけるデジタル信号判定処理手順を示すフローチャートである。
【００３５】
例えば、第２の実施例においては、プロジェクタ１００は、変数ｉをＴＭＤＳ信号非入力の場合のホットプラグ信号非入力時間を示す変数として取り扱い、変数ｊをＴＭＤＳ信号非入力の場合のホットプラグ信号入力時間を示す変数として取り扱う。
【００３６】
このため、デジタル信号判定部１２６は、ステップＳ１５の設定処理に代えてｉにｉ＋ｔを設定する処理を実行し（ステップＳ２１）、ステップＳ１６の判定処理に代えてｉ＝ｎ×ｔという条件が成立するかどうかを判定する（ステップＳ２２）。また、デジタル信号判定部１２６は、ステップＳ１７の設定処理に代えてｊにｊ＋ｔを設定する処理を実行し（ステップＳ２３）、ステップＳ１８の判定処理に代えてｊ＝ｍ×ｔという条件が成立するかどうかを判定する（ステップＳ２４）。
【００３７】
すなわち、本実施例では、変数ｉをＴＭＤＳ信号非入力の場合のホットプラグ信号非入力時間を示す変数として用い、変数ｊをＴＭＤＳ信号非入力の場合のホットプラグ信号入力時間を示す変数として用いている。なお、これら以外の処理は第１の実施例と同様であるため、説明を省略する。
【００３８】
以上のように、プロジェクタ１００は、回数に代えて時間を用いて処理する場合も第１の実施例と同様の作用効果を奏する。
【００３９】
（その他の実施例）
なお、本発明の適用は上述した実施例に限定されず、種々の変形が可能である。例えば、デジタル信号ケーブルは、ＨＤＭＩケーブル３００には限定されず、例えば、ＤＶＩケーブル等であってもよい。また、上述したｍ、ｎ、ｔの具体的な値は適用する回路等によって変わる値であり、上述した実施例の数値には限定されない。
【００４０】
また、デジタル信号判定部１２６は、デジタル信号の非入力を判定する基準となる回数や時間を連続的にカウントしてもよい。例えば、デジタル信号判定部１２６は、ステップＳ１６でｉ＝ｎでない場合、ｊ＝０であるかどうかを判定し、ｊ＝０でない場合、ｊに０を設定して初期化してもよく、ステップＳ１８でｊ＝ｍでない場合、ｉ＝０であるかどうかを判定し、ｉ＝０でない場合、ｉに０を設定して初期化してもよい。
【００４１】
これによれば、デジタル信号判定部１２６は、デジタル信号の非入力を判定する基準となる回数や時間を連続的にカウントすることができ、ホットプラグ信号の入力有無が変動しない状態でデジタル信号の非入力を判定することができる。
【００４２】
また、ＨＤＭＩケーブル３００のように音声信号も伝送可能なケーブルの場合、デジタル信号判定部１２６は、音声信号の入力有無を判定してもよい。また、デジタル信号の入力有無を通知する手法は画像には限定されず、デジタル信号処理装置は、デジタル信号が入力されない場合に音声（例えば、「映像信号が入力されていません」といった音声をスピーカから出力する等）、光（例えば、警告ランプを点灯させる、入力通知ランプを消灯させる等）、振動（例えば、デジタル信号が入力されない場合にコントローラを振動させる等）等を用いて通知してもよい。
【００４３】
また、表示装置は、プロジェクタ１００には限定されず、例えば、テレビ、液晶モニタ等であってもよい。また、デジタル信号処理装置は、プロジェクタ１００には限定されず、例えば、テレビ、液晶モニタ、アンプ等のデジタル信号ケーブルを介してデジタル信号を入力する種々の装置が該当する。また、デジタル信号ケーブルを介してデジタル信号処理装置にデジタル信号を出力する電子機器は、ＤＶＤプレーヤ２００には限定されず、例えば、ＨＤＤレコーダ、セットトップボックス、アンプ等であってもよい。
【００４４】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【図面の簡単な説明】
【００４５】
【図１】第１の実施例におけるプロジェクタの機能ブロック図である。
【図２】従来のデジタル信号判定処理手順を示すフローチャートである。
【図３】第１の実施例におけるデジタル信号判定処理手順を示すフローチャートである。
【図４】第２の実施例におけるデジタル信号判定処理手順を示すフローチャートである。
【符号の説明】
【００４６】
１００  プロジェクタ（表示装置、デジタル信号処理装置）、１１０  デジタル信号入力部、１１２  ＴＭＤＳ信号入力部、１１４  ホットプラグ信号入力部、１２０  判定部、１２２  ＴＭＤＳ信号判定部、１２４  ホットプラグ信号判定部、１２６  デジタル信号判定部、１３０  表示部、２００  ＤＶＤプレーヤ（電子機器）、３００  ＨＤＭＩケーブル、４００  情報記憶媒体
【図１】
0004497332.tif 000002
【図２】
0004497332.tif 000003
【図３】
0004497332.tif 000004
【図４】
0004497332.tif 000005